(57)【特許請求の範囲】
【請求項１】
収納庫（11）に設けられ、
空気中の所定の成分を吸着する吸着剤が内部に収容された吸着筒（34,35）と、
上記吸着筒（34,35）に加圧した加圧空気を供給することによって該吸着筒（34,35）を加圧し、該吸着筒（34,35）において該加圧空気中の上記所定の成分を上記吸着剤に吸着する吸着動作を行わせる加圧部（31a）と、上記吸着筒（34,35）内から空気を吸引することによって該吸着筒（34,35）を減圧し、該吸着筒（34,35）において該空気中に上記吸着剤に吸着した上記所定の成分を脱着する脱着動作を行わせる減圧部（31b）とを有するエアポンプ（31）とを備え、
上記吸着筒（34,35）において上記吸着動作と上記脱着動作とを交互に行って所望の組成の調整ガスを生成して上記収納庫（11）の庫内に供給するガス供給装置であって、
上記加圧部（31a）と上記吸着筒（34,35）とを繋ぐ加圧通路（42）に設けられ、内部を流れる加圧空気と外部の空気とを熱交換させて該加圧空気を冷却する冷却器（90）と、
上記吸着筒（34,35）と上記エアポンプ（31）とを内部に収容するユニットケース（36）とを備え、
上記冷却器（90）は、上記ユニットケース（36）の外部に配置されている
ことを特徴とするガス供給装置。
【請求項２】
請求項１において、
上記収納庫（11）は、庫内空気が外気よりも温度が低くなるように冷却された冷蔵収納庫であり、
上記ユニットケース（36）は、上記収納庫（11）の庫外に配置され、
上記冷却器（90）は、上記収納庫（11）の庫内に配置されている
ことを特徴とするガス供給装置。
【請求項３】
請求項２において、
上記加圧通路（42）において上記冷却器（90）の下流側に設けられ、該冷却器（90）において加圧空気の一部が凝縮して生じた凝縮水を加圧空気から分離して捕捉する気液分離器（92）を備えている
ことを特徴とするガス供給装置。
【請求項４】
請求項３において、
上記気液分離器（92）に接続され、該気液分離器（92）内の凝縮水を外部へ排出する排水通路（93）と、
上記排水通路（93）に設けられ、該排水通路（93）を開閉する開閉弁（94）とを備え、
上記エアポンプ（31）の運転停止時に、上記開閉弁（94）を開いて上記気液分離器（92）に捕捉された凝縮水を外部へ排出する排水動作を行うように構成されている
ことを特徴とするガス供給装置。
【請求項５】
請求項１乃至４のいずれか１つにおいて、
上記加圧通路（42）は、樹脂製のチューブによって構成され、
上記冷却器（90）は、上記チューブの中途部に接続された銅管によって構成されている
ことを特徴とするガス供給装置。
【請求項６】
収納庫（11）に設けられ、
空気中の所定の成分を吸着する吸着剤が内部に収容された吸着筒（34,35）と、
上記吸着筒（34,35）に加圧した加圧空気を供給することによって該吸着筒（34,35）を加圧し、該吸着筒（34,35）において該加圧空気中の上記所定の成分を上記吸着剤に吸着する吸着動作を行わせる加圧部（31a）と、上記吸着筒（34,35）内から空気を吸引することによって該吸着筒（34,35）を減圧し、該吸着筒（34,35）において該空気中に上記吸着剤に吸着した上記所定の成分を脱着する脱着動作を行わせる減圧部（31b）とを有するエアポンプ（31）とを備え、
上記吸着筒（34,35）において上記吸着動作と上記脱着動作とを交互に行って所望の組成の調整ガスを生成して上記収納庫（11）の庫内に供給するガス供給装置であって、
上記加圧部（31a）と上記吸着筒（34,35）とを繋ぐ加圧通路（42）に設けられ、内部を流れる加圧空気と外部の空気とを熱交換させて該加圧空気を冷却する冷却器（90）を備え、
上記加圧通路（42）は、樹脂製のチューブによって構成され、
上記冷却器（90）は、上記チューブの中途部に接続された銅管によって構成されている
ことを特徴とするガス供給装置。
【請求項７】
呼吸を行う植物が収納されるコンテナ（11）に取り付けられ、
冷凍サイクルを行って上記コンテナ（11）の庫内空気を冷却する冷媒回路（20）と、
所定の組成の調整ガスを生成して上記コンテナ（11）の庫内に供給するガス供給装置（30）とを備え、
上記コンテナ（11）の庫内空気の温度と組成とを所望の状態に調節するコンテナ用冷凍装置であって、
上記ガス供給装置（30）は、上記コンテナ（11）を上記収納庫（11）として庫内に上記調整ガスを供給する請求項１乃至６のいずれか１つのガス供給装置によって構成されている
ことを特徴とするコンテナ用冷凍装置。
【請求項８】
請求項７において、
上記コンテナ（11）の庫内側に庫内に繋がる庫内収納空間（S2）と、上記コンテナ（11）の庫外に庫外に繋がる庫外収納空間（S1）とを形成するケーシング（12）を備え、
上記庫外収納空間（S1）には、上記冷媒回路（20）に接続された凝縮器（22）と、該凝縮器（22）に庫外空気を導く庫外ファン（25）と、上記ガス供給装置（30）とが設けられ、
上記冷却器（90）は、上記庫外収納空間（S1）において上記庫外ファン（25）によって形成される庫外空気の流れの上記凝縮器（22）よりも上流側に配置されている
ことを特徴とするコンテナ用冷凍装置。
【請求項９】
呼吸を行う植物が収納されるコンテナ（11）に取り付けられ、
冷凍サイクルを行って上記コンテナ（11）の庫内空気を冷却する冷媒回路（20）と、
上記コンテナ（11）に設けられ、
空気中の所定の成分を吸着する吸着剤が内部に収容された吸着筒（34,35）と、
上記吸着筒（34,35）に加圧した加圧空気を供給することによって該吸着筒（34,35）を加圧し、該吸着筒（34,35）において該加圧空気中の上記所定の成分を上記吸着剤に吸着する吸着動作を行わせる加圧部（31a）と、上記吸着筒（34,35）内から空気を吸引することによって該吸着筒（34,35）を減圧し、該吸着筒（34,35）において該空気中に上記吸着剤に吸着した上記所定の成分を脱着する脱着動作を行わせる減圧部（31b）とを有するエアポンプ（31）と、
上記加圧部（31a）と上記吸着筒（34,35）とを繋ぐ加圧通路（42）に設けられ、内部を流れる加圧空気と外部の空気とを熱交換させて該加圧空気を冷却する冷却器（90）とを有し、
上記吸着筒（34,35）において上記吸着動作と上記脱着動作とを交互に行って所望の組成の調整ガスを生成して上記コンテナ（11）の庫内に供給するガス供給装置（30）とを備え、
上記コンテナ（11）の庫内空気の温度と組成とを所望の状態に調節するコンテナ用冷凍装置であって、
上記コンテナ（11）の庫内側に庫内に繋がる庫内収納空間（S2）と、上記コンテナ（11）の庫外に庫外に繋がる庫外収納空間（S1）とを形成するケーシング（12）を備え、
上記庫外収納空間（S1）には、上記冷媒回路（20）に接続された凝縮器（22）と、該凝縮器（22）に庫外空気を導く庫外ファン（25）と、上記ガス供給装置（30）とが設けられ、
上記冷却器（90）は、上記庫外収納空間（S1）において上記庫外ファン（25）によって形成される庫外空気の流れの上記凝縮器（22）よりも上流側に配置されている
ことを特徴とするコンテナ用冷凍装置。
【発明の詳細な説明】
【技術分野】
【０００１】
本発明は、コンテナの庫内に所定の組成の調整ガスを供給するガス供給装置及びそれを備えたコンテナ用冷凍装置に関するものである。
【背景技術】
【０００２】
従来、海上輸送等に用いられるコンテナの庫内空気を冷却するために、冷凍サイクルを行う冷媒回路を備えたコンテナ用冷凍装置が用いられている（例えば、特許文献１参照）。コンテナの庫内には、例えば、バナナやアボガド等の植物が積み込まれるが、植物は、収穫後であっても空気中の酸素を取り込んで二酸化炭素を放出する呼吸を行う。植物が呼吸を行うと、植物に蓄えられた養分と水分とが減少し、鮮度が低下する。そのため、収容庫の庫内の酸素濃度は、呼吸障害が起きない程度に低い方が好ましい。
【０００３】
そこで、特許文献１のコンテナ用冷凍装置には、加圧すると空気中の窒素成分が吸着する吸着剤を用いて、空気よりも窒素濃度が高く酸素濃度が低い窒素濃縮空気を生成し、該窒素濃縮空気をコンテナの庫内に供給することにより、庫内空気の酸素濃度を低下させて植物の呼吸量を低減するガス供給装置が設けられている。特許文献１では、このようにガス供給装置によって窒素濃縮空気をコンテナの庫内に供給することにより、庫内空気の酸素濃度を低下させて植物の呼吸量を低減して植物の鮮度を維持しやすくしている。
【先行技術文献】
【特許文献】
【０００４】
【特許文献１】特開２０１５−０７２１０３号公報
【発明の概要】
【発明が解決しようとする課題】
【０００５】
ところで、上述のような吸着剤における吸着質の吸着量は、吸着剤の温度が高くなる程減少する。しかしながら、上記ガス供給装置では、エアポンプによって加圧されて温度が著しく上昇した外気をそのまま吸着筒に送り込むため、吸着剤の吸着性能が高くなく、吸着剤を効率よく使用できていなかった。
【０００６】
本発明は、かかる点に鑑みてなされたものであり、その目的は、エアポンプと吸着筒とを備えたガス供給装置において、吸着剤における吸着性能の向上を図ることにある。
【課題を解決するための手段】
【０００７】
第１の発明は、収納庫（11）に設けられ、空気中の所定の成分を吸着する吸着剤が内部に収容された吸着筒（34,35）と、上記吸着筒（34,35）に加圧した加圧空気を供給することによって該吸着筒（34,35）を加圧し、該吸着筒（34,35）において該加圧空気中の上記所定の成分を上記吸着剤に吸着する吸着動作を行わせる加圧部（31a）と、上記吸着筒（34,35）内から空気を吸引することによって該吸着筒（34,35）を減圧し、該吸着筒（34,35）において該空気中に上記吸着剤に吸着した上記所定の成分を脱着する脱着動作を行わせる減圧部（31b）とを有するエアポンプ（31）とを備え、上記吸着筒（34,35）において上記吸着動作と上記脱着動作とを交互に行って所望の組成の調整ガスを生成して上記収納庫（11）の庫内に供給するガス供給装置であって、上記加圧部（31a）と上記吸着筒（34,35）とを繋ぐ加圧通路（42）に設けられ、内部を流れる加圧空気と外部の空気とを熱交換させて該加圧空気を冷却する冷却器（90）を備えている。
【０００８】
第１の発明では、吸着筒（34,35）において吸着動作と脱着動作とを交互に行うことによって調整ガスが生成され、該調整ガスを収納庫（11）の庫内に供給することによって収納庫（11）の庫内空気の組成が調節される。
【０００９】
ここで、第１の発明では、加圧部（31a）と吸着筒（34,35）とを繋ぐ加圧通路（42）に、内部を流れる加圧空気と外部の空気とを熱交換させて加圧空気を冷却する冷却器（90）が設けられている。そのため、吸着筒（34,35）には、エアポンプ（31）の加圧部（31a）において加圧された後、外部の空気に放熱して冷却された加圧空気が供給される。
【００１０】
また、第１の発明は、上記構成に加え、上記吸着筒（34,35）と上記エアポンプ（31）とを内部に収容するユニットケース（36）を備え、上記冷却器（90）は、上記ユニットケース（36）の外部に配置されている。
【００１１】
第１の発明では、吸着筒（34,35）とエアポンプ（31）とが、ユニットケース（36）の内部に収容されている。このような構成では、エアポンプ（31）の稼働中、ユニットケース（36）の内部の空気温度は、エアポンプ（31）の発熱により、著しく上昇する。しかしながら、第１の発明では、加圧通路（42）に設けられた冷却器（90）がユニットケース（36）の外部に配置されているため、ユニットケース（36）の内部の空気温度の上昇に拘わらず、加圧空気がユニットケース（36）の外部の空気によって冷却される。
【００１２】
第２の発明は、第１の発明において、上記収納庫（11）は、庫内空気が外気よりも温度が低くなるように冷却された冷蔵収納庫であり、上記ユニットケース（36）は、上記収納庫（11）の庫外に配置され、上記冷却器（90）は、上記収納庫（11）の庫内に配置されている。
【００１３】
第２の発明では、ユニットケース（36）が収納庫（11）の庫外に配置される一方、冷却器（90）は庫内空気が外気よりも温度が低くなるように冷却された冷蔵収納庫の庫内に配置されている。そのため、吸着筒（34,35）には、エアポンプ（31）の加圧部において加圧された後、冷却器（90）において外気よりも低温の庫内空気と熱交換して冷却された加圧空気が供給される。
【００１４】
第３の発明は、第２の発明において、上記加圧通路（42）において上記冷却器（90）の下流側に設けられ、該冷却器（90）において加圧空気の一部が凝縮して生じた凝縮水を加圧空気から分離して捕捉する気液分離器（92）を備えている。
【００１５】
ところで、上述のように、冷却器（90）において加圧空気を外気よりも低温の冷蔵収納庫の庫内空気で冷却すると、加圧空気の温度が露点温度まで低下して該加圧空気が含む水分の一部が凝縮して凝縮水を生じる場合がある。凝縮水が加圧空気と共に吸着筒（34,35）に供給されると、吸着剤に凝縮水が付着して吸着性能を著しく低下させるおそれがある。
【００１６】
そこで、第３の発明では、加圧通路（42）の冷却器（90）の下流側に気液分離器（92）を設けることとした。そのため、冷却器（90）において加圧空気の一部が凝縮して凝縮水が発生した場合、気液分離器（92）において凝縮水が加圧空気から分離されて捕捉され、加圧空気のみが吸着筒（34,35）（34,35）に供給される。
【００１７】
第４の発明は、第３の発明において、上記気液分離器（92）に接続され、該気液分離器（92）内の凝縮水を外部へ排出する排水通路（93）と、上記排水通路（93）に設けられ、該排水通路（93）を開閉する開閉弁（94）とを備え、上記エアポンプ（31）の運転停止時に、上記開閉弁（94）を開いて上記気液分離器（92）に捕捉された凝縮水を外部へ排出する排水動作を行うように構成されている。
【００１８】
第４の発明では、エアポンプ（31）の運転停止時に、気液分離器（92）から凝縮水を外部へ排出する排水動作が行われる。
【００１９】
第５の発明は、第１乃至４のいずれか１つの発明において、上記加圧通路（42）は、樹脂製のチューブによって構成され、上記冷却器（90）は、上記チューブの中途部に接続された銅管によって構成されている。
【００２０】
第６の発明は、収納庫（11）に設けられ、空気中の所定の成分を吸着する吸着剤が内部に収容された吸着筒（34,35）と、上記吸着筒（34,35）に加圧した加圧空気を供給することによって該吸着筒（34,35）を加圧し、該吸着筒（34,35）において該加圧空気中の上記所定の成分を上記吸着剤に吸着する吸着動作を行わせる加圧部（31a）と、上記吸着筒（34,35）内から空気を吸引することによって該吸着筒（34,35）を減圧し、該吸着筒（34,35）において該空気中に上記吸着剤に吸着した上記所定の成分を脱着する脱着動作を行わせる減圧部（31b）とを有するエアポンプ（31）とを備え、上記吸着筒（34,35）において上記吸着動作と上記脱着動作とを交互に行って所望の組成の調整ガスを生成して上記収納庫（11）の庫内に供給するガス供給装置であって、上記加圧部（31a）と上記吸着筒（34,35）とを繋ぐ加圧通路（42）に設けられ、内部を流れる加圧空気と外部の空気とを熱交換させて該加圧空気を冷却する冷却器（90）を備え、上記加圧通路（42）は、樹脂製のチューブによって構成され、上記冷却器（90）は、上記チューブの中途部に接続された銅管によって構成されている。
【００２１】
第５及び第６の発明では、冷却器（90）は、樹脂製のチューブによって構成された加圧通路（42）の中途部に接続された銅管によって構成されている。
【００２２】
第７の発明は、呼吸を行う植物が収納されるコンテナ（11）に取り付けられ、冷凍サイクルを行って上記コンテナ（11）の庫内空気を冷却する冷媒回路（20）と、所定の組成の調整ガスを生成して上記コンテナ（11）の庫内に供給するガス供給装置（30）とを備え、上記コンテナ（11）の庫内空気の温度と組成とを所望の状態に調節するコンテナ用冷凍装置であって、上記ガス供給装置（30）は、上記コンテナ（11）を上記収納庫（11）として庫内に上記調整ガスを供給する上記第１乃至第６のいずれか１つの発明に係るガス供給装置（30）によって構成されている。
【００２３】
第７の発明では、冷媒回路（20）において冷凍サイクルが行われることにより、コンテナ（11）の庫内空気が冷却される。また、ガス供給装置（30）において生成した調整ガスをコンテナ（11）へ供給することにより、コンテナ（11）の庫内空気の組成が調節される。
【００２４】
また、第７の発明では、ガス供給装置（30）において、エアポンプ（31）の加圧部（31a）と吸着筒（34,35）とを繋ぐ加圧通路（42）に、内部を流れる加圧空気と外部の空気とを熱交換させて加圧空気を冷却する冷却器（90）が設けられている。そのため、吸着筒（34,35）には、エアポンプ（31）の加圧部（31a）において加圧された後、外部の空気に放熱して冷却された加圧空気が供給される。
【００２５】
第８の発明は、第７の発明において、上記コンテナ（11）の庫内側に庫内に繋がる庫内収納空間（S2）と、上記コンテナ（11）の庫外に庫外に繋がる庫外収納空間（S1）とを形成するケーシング（12）を備え、上記庫外収納空間（S1）には、上記冷媒回路（20）に接続された凝縮器（22）と、該凝縮器（22）に庫外空気を導く庫外ファン（25）と、上記ガス供給装置（30）とが設けられ、上記冷却器（90）は、上記庫外収納空間（S1）において上記庫外ファン（25）によって形成される庫外空気の流れの上記凝縮器（22）よりも上流側に配置されている。
【００２６】
第９の発明は、呼吸を行う植物が収納されるコンテナ（11）に取り付けられ、冷凍サイクルを行って上記コンテナ（11）の庫内空気を冷却する冷媒回路（20）と、上記コンテナ（11）に設けられ、空気中の所定の成分を吸着する吸着剤が内部に収容された吸着筒（34,35）と、上記吸着筒（34,35）に加圧した加圧空気を供給することによって該吸着筒（34,35）を加圧し、該吸着筒（34,35）において該加圧空気中の上記所定の成分を上記吸着剤に吸着する吸着動作を行わせる加圧部（31a）と、上記吸着筒（34,35）内から空気を吸引することによって該吸着筒（34,35）を減圧し、該吸着筒（34,35）において該空気中に上記吸着剤に吸着した上記所定の成分を脱着する脱着動作を行わせる減圧部（31b）とを有するエアポンプ（31）と、上記加圧部（31a）と上記吸着筒（34,35）とを繋ぐ加圧通路（42）に設けられ、内部を流れる加圧空気と外部の空気とを熱交換させて該加圧空気を冷却する冷却器（90）とを有し、上記吸着筒（34,35）において上記吸着動作と上記脱着動作とを交互に行って所望の組成の調整ガスを生成して上記コンテナ（11）の庫内に供給するガス供給装置（30）とを備え、上記コンテナ（11）の庫内空気の温度と組成とを所望の状態に調節するコンテナ用冷凍装置であって、上記コンテナ（11）の庫内側に庫内に繋がる庫内収納空間（S2）と、上記コンテナ（11）の庫外に庫外に繋がる庫外収納空間（S1）とを形成するケーシング（12）を備え、上記庫外収納空間（S1）には、上記冷媒回路（20）に接続された凝縮器（22）と、該凝縮器（22）に庫外空気を導く庫外ファン（25）と、上記ガス供給装置（30）とが設けられ、上記冷却器（90）は、上記庫外収納空間（S1）において上記庫外ファン（25）によって形成される庫外空気の流れの上記凝縮器（22）よりも上流側に配置されている。
【００２７】
第８及び第９の発明では、ガス供給装置（30）において吸着筒（34,35）に供給される加圧空気を冷却する冷却器（90）が、庫外収納空間（S1）において庫外ファン（25）によって形成される庫外空気の流れの凝縮器（22）よりも上流側に配置されている。このような配置構成により、庫外ファン（25）の稼働中には、冷却器（90）に強制的に庫外空気が供給される。また、冷却器（90）に供給される庫外空気は、凝縮器（22）において冷媒回路（20）の冷媒によって加熱される前の比較的温度の低い庫外空気であるため、冷却器（90）において加圧空気が十分に冷却されることとなる。
【発明の効果】
【００２８】
第１の発明によれば、加圧部（31a）と吸着筒（34,35）とを繋ぐ加圧通路（42）に冷却器（90）を設け、加圧空気を外部の空気で冷却してから吸着筒（34,35）に供給することとした。そのため、冷却器（90）を設けない場合に比べて吸着筒（34,35）に供給される加圧空気の温度が低くなる。これにより、吸着動作において加圧空気中の所定の成分が吸着剤に吸着し易くなる。よって、エアポンプ（31）と吸着筒（34,35）とを備えたガス供給装置（30）において、吸着剤における吸着性能の向上を図ることができる。
【００２９】
また、第１の発明によれば、ユニットケース（36）の内部に収容されたエアポンプ（31）の加圧部（31a）と吸着筒（34,35）とを繋ぐ加圧通路（42）に設けられた冷却器（90）を、ユニットケース（36）の外部に配置することとした。そのため、吸着筒（34,35）とエアポンプ（31）とがユニットケース（36）の内部に収容され、エアポンプ（31）の稼働中に、ユニットケース（36）の内部の空気温度が著しく上昇するような環境下であっても、確実に冷却器（90）において加圧空気をユニットケース（36）の外部の空気で冷却することができる。
【００３０】
また、第２の発明によれば、冷却器（90）を冷蔵収納庫の庫内に配置し、冷却器（90）において加圧空気を外気よりも低温の庫内空気で冷却してから吸着筒（34,35）に供給することとした。そのため、冷却器（90）を冷蔵収納庫の庫外に設ける場合に比べて吸着筒（34,35）に供給される加圧空気の温度が低くなる。これにより、吸着動作において加圧空気中の所定の成分が吸着剤により吸着し易くなる。よって、エアポンプ（31）と吸着筒（34,35）とを備えたガス供給装置（30）において、吸着剤における吸着性能のさらなる向上を図ることができる。
【００３１】
また、第３の発明によれば、加圧通路（42）の冷却器（90）の下流側に気液分離器（92）を設け、冷却器（90）において加圧空気の一部が外気よりも低温の庫内空気に冷却されて凝縮した場合であっても、気液分離器（92）において加圧空気から凝縮水を分離して捕捉することで、加圧空気のみを吸着筒（34,35）に供給するようにした。そのため、凝縮水が吸着剤に付着して吸着剤の吸着性能が著しく低下することを防止する一方、露点温度まで冷却された加圧空気を吸着筒（34,35）に供給することで吸着剤の吸着性能の向上を最大限に図ることができる。
【００３２】
ところで、気液分離器（92）は、エアポンプ（31）によって加圧された加圧空気が流れる加圧通路（42）に設けられている。そのため、エアポンプ（31）の運転中に排水通路（93）の開閉弁（94）を開くと、気液分離器（92）の内部と外部とが連通し、気液分離器（92）内を通過する加圧空気が凝縮水と共に排水通路（93）を介して外部へ排出されるおそれがある。
【００３３】
そこで、第４の発明では、気液分離器（92）に加圧空気が供給されないエアポンプ（31）の運転停止時に、開閉弁（94）を開くこととしている。このように、気液分離器（92）の内部と外部の圧力がほぼ等しい状態で開閉弁（94）を開くことにより、気液分離器（92）を通過する加圧空気が吸着筒に供給されずに排水通路（93）を介して凝縮水と共に排出されてしまうのを防止することができる。
【００３４】
また、第５及び第６の発明によれば、冷却器（90）を銅管によって構成し、樹脂製のチューブによって構成された加圧通路（42）の中途部に接続することとした。そのため、樹脂製のチューブの中途部に銅管を接続するだけで容易に冷却器（90）を構成することができる。
【００３５】
また、第７の発明によれば、ガス供給装置（30）において加圧部（31a）と吸着筒（34,35）とを繋ぐ加圧通路（42）に冷却器（90）を設け、加圧空気を外部の空気で冷却してから吸着筒（34,35）に供給するガス供給装置（30）を備えている。これにより、エアポンプ（31）と吸着筒（34,35）とを有するガス供給装置（30）を備えたコンテナ用冷凍装置（10）において、吸着剤における吸着性能の向上を図ることができ、コンテナ（11）の庫内空気の組成の調節を効率よく行うことができる。
【００３６】
また、第８及び第９の発明によれば、ガス供給装置（30）において吸着筒（34,35）に供給される加圧空気を冷却する冷却器（90）を、庫外収納空間（S1）において庫外ファン（25）によって形成される庫外空気の流れの凝縮器（22）よりも上流側に配置することとした。この配置構成により、庫外ファン（25）の稼働中には、冷却器（90）に強制的に庫外空気が供給されるため、加圧空気を十分に冷却することができる。また、凝縮器（22）において冷媒回路（20）の冷媒によって加熱される前の比較的温度の低い庫外空気を冷却器（90）に供給することとしたため、このことによっても、冷却器（90）において加圧空気を十分に冷却することができる。よって、ガス供給装置（30）を備えたコンテナ用冷凍装置（10）において、吸着剤における吸着性能のさらなる向上を図ることができ、コンテナ（11）の庫内空気の組成の調節を効率よく行うことができる。
【図面の簡単な説明】
【００３７】
【図１】図１は、実施形態のコンテナ用冷凍装置を庫外側から見た斜視図である。
【図２】図２は、実施形態のコンテナ用冷凍装置の概略構成を示す側面断面図である。
【図３】図３は、実施形態のコンテナ用冷凍装置の冷媒回路の構成を示す配管系統図である。
【００３８】
【図４】図４は、実施形態のコンテナ用冷凍装置のＣＡ装置の構成を示す配管系統図であり、第１動作中の空気の流れを示すものである。
【図５】図５は、実施形態のコンテナ用冷凍装置のＣＡ装置の構成を示す配管系統図であり、第２動作中の空気の流れを示すものである。
【図６】図６は、実施形態のコンテナ用冷凍装置のＣＡ装置の構成を示す配管系統図であり、均圧動作中の空気の流れを示すものである。
【図７】図７は、実施形態のコンテナ用冷凍装置の気液分離器の概略構成を示す模式図である。
【図８】図８は、冷却器を庫外に設けたその他の実施形態のコンテナ用冷凍装置の概略構成を示す側面断面図である。
【図９】図９は、冷却器を庫外に設けたその他の実施形態のコンテナ用冷凍装置のＣＡ装置の構成を示す配管系統図であり、第１動作中の空気の流れを示すものである。
【発明を実施するための形態】
【００３９】
以下、本発明の実施形態を図面に基づいて説明する。なお、以下の好ましい実施形態の説明は、本質的に例示に過ぎず、本発明、その適用物或いはその用途を制限することを意図するものではない。
【００４０】
《本発明の実施形態》
図１及び図２に示すように、コンテナ用冷凍装置（10）は、海上輸送等に用いられるコンテナ（収納庫）（11）に設けられ、該コンテナ（11）の庫内空気を冷却するものである。コンテナ（11）の庫内には、植物（15）が箱詰めされた状態で収納されている。植物（15）は、空気中の酸素（Ｏ２）を取り込んで二酸化炭素（ＣＯ２）を放出する呼吸を行うものであり、例えば、バナナやアボカド等の青果物、野菜、穀物、球根、生花等である。
【００４１】
コンテナ（11）は、一方の端面が開口する細長い箱状に形成されている。コンテナ用冷凍装置（10）は、ケーシング（12）と、冷媒回路（20）と、ＣＡ装置（庫内空気調節装置／Controlled Atmosphere System）（60）とを備え、コンテナ（11）の開口端を塞ぐように取り付けられている。
【００４２】
〈ケーシング〉
図２に示すように、ケーシング（12）は、コンテナ（11）の庫外側に位置する庫外壁（12a）と、コンテナ（11）の庫内側に位置する庫内壁（12b）とを備えている。庫外壁（12a）及び庫内壁（12b）は、例えば、アルミニウム合金によって構成されている。
【００４３】
庫外壁（12a）は、コンテナ（11）の開口端を塞ぐようにコンテナ（11）の開口の周縁部に取り付けられている。庫外壁（12a）は、下部がコンテナ（11）の庫内側へ膨出するように形成されている。
【００４４】
庫内壁（12b）は、庫外壁（12a）と対向して配置されている。庫内壁（12b）は、庫外壁（12a）の下部に対応して庫内側へ膨出している。庫内壁（12b）と庫外壁（12a）との間の空間には、断熱材（12c）が設けられている。
【００４５】
このように、ケーシング（12）の下部は、コンテナ（11）の庫内側に向かって膨出するように形成されている。これにより、ケーシング（12）の下部におけるコンテナ（11）の庫外側には庫外収納空間（S1）が形成され、ケーシング（12）の上部におけるコンテナ（11）の庫内側には庫内収納空間（S2）が形成されている。
【００４６】
図１に示すように、ケーシング（12）には、メンテナンス用の２つのサービス用開口（14）が幅方向に並んで形成されている。２つのサービス用開口（14）は、それぞれ開閉自在な第１及び第２サービス扉（16A,16B）によって閉塞されている。第１及び第２サービス扉（16A,16B）は、いずれもケーシング（12）と同様に、庫外壁と庫内壁と断熱材とによって構成されている。
【００４７】
図２に示すように、コンテナ（11）の庫内には、仕切板（18）が配置されている。この仕切板（18）は、略矩形状の板部材に構成され、ケーシング（12）のコンテナ（11）の庫内側の面と対向する姿勢で立設されている。この仕切板（18）によって、コンテナ（11）の庫内と庫内収納空間（S2）とが区画されている。
【００４８】
仕切板（18）の上端とコンテナ（11）内の天井面との間には吸込口（18a）が形成されている。コンテナ（11）の庫内空気は、吸込口（18a）を通って庫内収納空間（S2）に取り込まれる。
【００４９】
また、庫内収納空間（S2）には、水平方向に延びる区画壁（13）が設けられている。区画壁（13）は、仕切板（18）の上端部に取り付けられ、後述する庫内ファン（26）が設置される開口が形成されている。区画壁（13）は、庫内収納空間（S2）を、庫内ファン（26）の吸込側の１次空間（S21）と、庫内ファン（26）の吹出側の２次空間（S22）とに区画する。なお、本実施形態では、庫内収納空間（S2）は、区画壁（13）によって上下に区画され、吸込側の１次空間（S21）が上側、吹出側の２次空間（S22）が下側に形成されている。
【００５０】
コンテナ（11）内には、コンテナ（11）の底面との間に隙間を存して床板（19）が設けられている。床板（19）上には、箱詰めされた植物（15）が載置されている。コンテナ（11）内の底面と床板（19）との間には、床下流路（19a）が形成されている。仕切板（18）の下端とコンテナ（11）内の底面との間には隙間が設けられ、床下流路（19a）に連通している。
【００５１】
床板（19）におけるコンテナ（11）の奥側（図２で右側）には、コンテナ用冷凍装置（10）によって冷却された空気をコンテナ（11）の庫内へ吹き出す吹出口（18b）が形成されている。
【００５２】
〈冷媒回路等の構成と配置〉
図３に示すように、冷媒回路（20）は、圧縮機（21）と、凝縮器（22）と、膨張弁（23）と、蒸発器（24）とを、冷媒配管（20a）によって順に接続することによって構成された閉回路である。
【００５３】
凝縮器（22）の近傍には、庫外ファンモータ（25a）によって回転駆動され、コンテナ（11）の庫外空間の空気（外気）を庫外収納空間（S1）内へ誘引して凝縮器（22）へ送る庫外ファン（25）が設けられている。凝縮器（22）では、圧縮機（21）で加圧されて凝縮器（22）の内部を流れる冷媒と庫外ファン（25）によって凝縮器（22）に送られた外気との間で熱交換が行われる。本実施形態では、庫外ファン（25）は、プロペラファンによって構成されている。
【００５４】
蒸発器（24）の近傍には、庫内ファンモータ（26a）によって回転駆動され、コンテナ（11）の庫内空気を吸込口（18a）から誘引して蒸発器（24）へ吹き出す庫内ファン（26）が２つ設けられている。蒸発器（24）では、膨張弁（23）によって減圧されて蒸発器（24）の内部を流れる冷媒と庫内ファン（26）によって蒸発器（24）に送られた庫内空気との間で熱交換が行われる。
【００５５】
図２に示すように、庫内ファン（26）は、プロペラファン（回転翼）（27a）と、複数の静翼（27b）と、ファンハウジング（27c）とを有している。プロペラファン（27a）は、庫内ファンモータ（26a）に連結され、庫内ファンモータ（26a）によって回転軸周りに回転駆動されて軸方向に送風する。複数の静翼（27b）は、プロペラファン（27a）の吹出側に設けられて該プロペラファン（27a）から吹き出されて旋回する空気流れを整流する。ファンハウジング（27c）は、複数の静翼（27b）が内周面に取り付けられた円筒部材によって構成され、プロペラファン（27a）の外周まで延び、プロペラファン（27a）の外周を取り囲んでいる。
【００５６】
図１に示すように、圧縮機（21）及び凝縮器（22）は、庫外収納空間（S1）に収納されている。凝縮器（22）は、庫外収納空間（S1）の上下方向の中央部分において、該庫外収納空間（S1）を下側の第１空間（S11）と上側の第２空間（S12）とに区画するように設けられている。第１空間（S11）には、上記圧縮機（21）と、該圧縮機（21）を可変速で駆動するための駆動回路が収納されたインバータボックス（29）と、ＣＡ装置（60）のガス供給装置（30）とが設けられている。一方、第２空間（S12）には、庫外ファン（25）と、電装品ボックス（17）とが設けられている。第１空間（S11）は、コンテナ（11）の庫外空間に対して開放される一方、第２空間（S12）は、庫外ファン（25）の吹出口のみが庫外空間に開口するように庫外空間との間が板状部材によって閉塞されている。
【００５７】
一方、図２に示すように、蒸発器（24）は、庫内収納空間（S2）の２次空間（S22）に収納されている。庫内収納空間（S2）における蒸発器（24）の上方位置には、ケーシング（12）の幅方向に並んで２つの庫内ファン（26）が設けられている（図１参照）。
【００５８】
〈ＣＡ装置〉
図４〜図６に示すように、ＣＡ装置（60）は、ガス供給装置（30）と、排気部（46）と、センサユニット（50）と、制御部（55）とを備え、コンテナ（11）の庫内空気の酸素濃度と二酸化炭素濃度とを調節するものである。なお、以下の説明で用いる「濃度」は、全て「体積濃度」を指す。
【００５９】
［ガス供給装置］
−ガス供給装置の構成−
ガス供給装置（30）は、コンテナ（11）の庫内に供給するための低酸素濃度の窒素濃縮空気を生成する装置である。本実施形態では、ガス供給装置（30）は、ＶＰＳＡ（Vacuum Pressure Swing Adsorption）によって構成されている。また、ガス供給装置（30）は、図１に示すように、庫外収納空間（S1）の左下のコーナー部に配置されている。
【００６０】
図４に示すように、ガス供給装置（30）は、エアポンプ（31）と、第１方向制御弁（32）及び第２方向制御弁（33）と、空気中の窒素成分を吸着するための吸着剤が設けられた第１吸着筒（34）及び第２吸着筒（35）とが接続された空気回路（3）と、該空気回路（3）の構成部品が収納されたユニットケース（36）と、冷却器（90）と、排水ユニット（91）とを有している。
【００６１】
（エアポンプ）
エアポンプ（31）は、ユニットケース（36）内に設けられ、それぞれ空気を吸引して加圧して吐出する第１ポンプ機構（加圧部）（31a）及び第２ポンプ機構（減圧部）（31b）を有している。第１ポンプ機構（31a）及び第２ポンプ機構（31b）は、モータ（31c）の駆動軸に接続され、モータ（31c）によって回転駆動されることにより、それぞれ空気を吸引して加圧して吐出する。
【００６２】
第１ポンプ機構（31a）の吸込口は、ユニットケース（36）を内外に貫通するように設けられた外気通路（41）の一端が接続されている。外気通路（41）の他端には、通気性と防水性を有するメンブレンフィルタ（76）が設けられている。外気通路（41）は、可撓性を有するチューブによって構成されている。図示を省略するが、メンブレンフィルタ（76）が設けられた外気通路（41）の他端は、庫外収納空間（S1）の凝縮器（22）の上方の第２空間（S12）に設けられている。このような構成により、第１ポンプ機構（31a）は、外気通路（41）の他端に設けられたメンブレンフィルタ（76）を介してユニットケース（36）の外から中へ流入する際に水分が除去された外気を吸い込んで加圧する。
【００６３】
一方、第１ポンプ機構（31a）の吐出口には加圧通路（42）の一端が接続されている。該加圧通路（42）の他端は、下流側において２つに分岐して第１方向制御弁（32）及び第２方向制御弁（33）のそれぞれに接続されている。加圧通路（42）は、樹脂製のチューブによって構成され、一部分がユニットケース（36）の外部に設けられている。本実施形態では、ユニットケース（36）の外部に設けられ加圧通路（42）の一部分は、ケーシング（12）を貫通し、庫内収納空間（S2）に設けられている。詳細については後述するが、加圧通路（42）の庫内収納空間（S2）に設けられた一部分には冷却器（90）が設けられ、該冷却器（90）の下流側であって庫外収納空間（S1）に設けられた部分には、排水ユニット（91）が設けられている。
【００６４】
第２ポンプ機構（31b）の吸込口には、減圧通路（43）の一端が接続されている。該減圧通路（43）の他端は、上流側において２つに分かれ、第１方向制御弁（32）及び第２方向制御弁（33）のそれぞれに接続されている。一方、第２ポンプ機構（31b）の吐出口には、供給通路（44）の一端が接続されている。供給通路（44）の他端は、コンテナ（11）の庫内収納空間（S2）における庫内ファン（26）の吹出側の２次空間（S22）において開口している。供給通路（44）の他端部には、一端から他端へ向かう向きの空気の流通のみを許容し、空気の逆流を防止する逆止弁（65）が設けられている。
【００６５】
なお、本実施形態では、加圧通路（42）と減圧通路（43）とは、バイパス通路（47）によって接続されている。バイパス通路（47）には、制御部（55）によって開閉制御されるバイパス開閉弁（48）が設けられている。
【００６６】
エアポンプ（31）の第１ポンプ機構（31a）及び第２ポンプ機構（31b）は、潤滑用のオイルを使用しないオイルレスのポンプで構成されている。また、エアポンプ（31）の側方には、エアポンプ（31）に向かって送風することでエアポンプ（31）を冷却するための送風ファン（49）が２つ設けられている。
【００６７】
（方向制御弁）
第１方向制御弁（32）及び第２方向制御弁（33）は、空気回路（3）におけるエアポンプ（31）と第１吸着筒（34）及び第２吸着筒（35）との間に設けられ、エアポンプ（31）と第１吸着筒（34）及び第２吸着筒（35）との接続状態を後述する３つの接続状態（第１〜第３の接続状態）に切り換えるものである。この切り換え動作は、制御部（55）によって制御される。
【００６８】
具体的に、第１方向制御弁（32）は、第１ポンプ機構（31a）の吐出口に接続された加圧通路（42）と、第２ポンプ機構（31b）の吸込口に接続された減圧通路（43）と、第１吸着筒（34）の一端部（加圧時の流入口）とに接続される。この第１方向制御弁（32）は、第１吸着筒（34）を第１ポンプ機構（31a）の吐出口に連通させて第２ポンプ機構（31b）の吸込口から遮断する第１状態（図４に示す状態）と、第１吸着筒（34）を第２ポンプ機構（31b）の吸込口に連通させて第１ポンプ機構（31a）の吐出口から遮断する第２状態（図５に示す状態）とに切り換わる。
【００６９】
第２方向制御弁（33）は、第１ポンプ機構（31a）の吐出口に接続された加圧通路（42）と、第２ポンプ機構（31b）の吸込口に接続された減圧通路（43）と、第２吸着筒（35）の一端部とに接続される。この第２方向制御弁（33）は、第２吸着筒（35）を第２ポンプ機構（31b）の吸込口に連通させて第１ポンプ機構（31a）の吐出口から遮断する第１状態（図４に示す状態）と、第２吸着筒（35）を第１ポンプ機構（31a）の吐出口に連通させて第２ポンプ機構（31b）の吸込口から遮断する第２状態（図５に示す状態）とに切り換わる。
【００７０】
第１方向制御弁（32）及び第２方向制御弁（33）を共に第１状態に設定すると、空気回路（3）が、第１ポンプ機構（31a）の吐出口と第１吸着筒（34）とが接続され且つ第２ポンプ機構（31b）の吸込口と第２吸着筒（35）とが接続される第１の接続状態に切り換わる（図４を参照）。この状態では、第１吸着筒（34）で外気中の窒素成分を吸着剤に吸着させる吸着動作が行われ、第２吸着筒（35）で吸着剤に吸着された窒素成分を脱着させる脱着動作が行われる。
【００７１】
第１方向制御弁（32）及び第２方向制御弁（33）を共に第２状態に設定すると、空気回路（3）が、第１ポンプ機構（31a）の吐出口と第２吸着筒（35）とが接続され且つ第２ポンプ機構（31b）の吸込口と第１吸着筒（34）とが接続される第２の接続状態に切り換わる（図５を参照）。この状態では、第２吸着筒（35）で吸着動作が行われ、第１吸着筒（34）で脱着動作が行われる。
【００７２】
第１方向制御弁（32）を第１状態に設定し、第２方向制御弁（33）を第２状態に設定すると、空気回路（3）が、第１ポンプ機構（31a）の吐出口と第１吸着筒（34）とが接続され且つ第１ポンプ機構（31a）の吐出口と第２吸着筒（35）とが接続される第３の接続状態に切り換わる（図６を参照）。この状態では、第１吸着筒（34）及び第２吸着筒（35）の両方が第１ポンプ機構（31a）の吐出口に接続され、第１ポンプ機構（31a）によって第１吸着筒（34）及び第２吸着筒（35）の両方に加圧された外気が供給される。この状態では、第１吸着筒（34）及び第２吸着筒（35）の両方で吸着動作が行われる。
【００７３】
（吸着筒）
第１吸着筒（34）及び第２吸着筒（35）は、内部に吸着剤が充填された円筒部材によって構成されている。第１吸着筒（34）及び第２吸着筒（35）に充填された吸着剤は、加圧下で窒素成分を吸着して、減圧下で吸着した窒素成分を脱着させる性質を有している。
【００７４】
第１吸着筒（34）及び第２吸着筒（35）に充填された吸着剤は、例えば、窒素分子の分子径（３．０オングストローム）よりも小さく且つ酸素分子の分子径（２．８オングストローム）よりも大きな孔径の細孔を有する多孔体のゼオライトで構成されている。このような孔径のゼオライトで吸着剤を構成すれば、空気中の窒素成分を吸着することができる。
【００７５】
また、ゼオライトの細孔内には、陽イオンが存在しているために電場が存在し極性を生じているので、水分子などの極性分子を吸着する性質を有している。そのため、第１吸着筒（34）及び第２吸着筒（35）に充填されたゼオライトからなる吸着剤には、空気中の窒素だけでなく、空気中の水分（水蒸気）も吸着される。そして、吸着剤に吸着された水分は、脱着動作によって窒素成分と共に吸着剤から脱着される。そのため、水分を含んだ窒素濃縮空気がコンテナ（11）の庫内に供給されることとなり、庫内の湿度を上げることができる。さらに、吸着剤が再生されるので、吸着剤の長寿命化を図ることができる。
【００７６】
このような構成により、第１吸着筒（34）及び第２吸着筒（35）では、エアポンプ（31）から加圧された外気が供給されて内部が加圧されると、吸着剤に該外気中の窒素成分が吸着する。その結果、外気よりも窒素成分が少なくなることで外気よりも窒素濃度が低く且つ酸素濃度が高い酸素濃縮空気が生成される。一方、第１吸着筒（34）及び第２吸着筒（35）では、エアポンプ（31）によって内部の空気が吸引されて減圧されると、吸着剤に吸着されていた窒素成分が脱着する。その結果、外気よりも窒素成分を多く含むことで外気よりも窒素濃度が高く且つ酸素濃度が低い窒素濃縮空気が生成される。本実施形態では、例えば、窒素濃度９２％、酸素濃度８％の成分比率の窒素濃縮空気が生成される。
【００７７】
第１吸着筒（34）及び第２吸着筒（35）の他端部（加圧時の流出口）には、第１吸着筒（34）及び第２吸着筒（35）において、第１ポンプ機構（31a）によって加圧された外気が供給されて生成された酸素濃縮空気を、コンテナ（11）の庫外へ導くための酸素排出通路（45）の一端が接続されている。酸素排出通路（45）の一端は、２つに分岐し、第１吸着筒（34）及び第２吸着筒（35）の他端部のそれぞれに接続されている。酸素排出通路（45）の他端は、ガス供給装置（30）の外部、即ち、コンテナ（11）の庫外において開口している。酸素排出通路（45）の第１吸着筒（34）の他端部に接続された部分及び第２吸着筒（35）の他端部に接続された部分には、酸素排出通路（45）から第１吸着筒（34）及び第２吸着筒（35）への空気の逆流を防止するための逆止弁（61）がそれぞれ設けられている。
【００７８】
酸素排出通路（45）の中途部には、逆止弁（62）とオリフィス（63）とが一端から他端に向かって順に設けられている。逆止弁（62）は、後述する排気用接続通路（71）からの窒素濃縮空気の第１吸着筒（34）及び第２吸着筒（35）側への逆流を防止する。オリフィス（63）は、第１吸着筒（34）及び第２吸着筒（35）から流出した酸素濃縮空気が庫外へ排出される前に減圧する。
【００７９】
（給排切換機構）
空気回路（3）には、生成した窒素濃縮空気をコンテナ（11）の庫内に供給する後述するガス供給動作と生成した窒素濃縮空気を庫外へ排出するガス排出動作とを切り換えるための給排切換機構（70）が設けられている。給排切換機構（70）は、排気用接続通路（71）と、排気用開閉弁（72）と、供給側開閉弁（73）とを有している。
【００８０】
排気用接続通路（71）は、一端が供給通路（44）に接続され、他端が酸素排出通路（45）に接続されている。排気用接続通路（71）の他端は、酸素排出通路（45）のオリフィス（63）よりも庫外側に接続されている。
【００８１】
排気用開閉弁（72）は、排気用接続通路（71）に設けられている。排気用開閉弁（72）は、排気用接続通路（71）の中途部において、供給通路（44）から流入した窒素濃縮空気の流通を許容する開状態と、窒素濃縮空気の流通を遮断する閉状態とに切り換わる電磁弁によって構成されている。排気用開閉弁（72）の開閉動作は、制御部（55）によって制御される。
【００８２】
供給側開閉弁（73）は、供給通路（44）における排気用接続通路（71）が接続される接続部よりも他端側（庫内側）に設けられている。供給側開閉弁（73）は、供給通路（44）の排気用接続通路（71）の接続部よりも庫内側において、窒素濃縮空気の庫内側への流通を許容する開状態と、窒素濃縮空気の庫内側への流通を遮断する閉状態とに切り換わる電磁弁によって構成されている。供給側開閉弁（73）の開閉動作は、制御部（55）によって制御される。
【００８３】
（測定ユニット）
空気回路（3）には、生成した窒素濃縮空気の濃度を、コンテナ（11）の庫内に設けられた後述するセンサユニット（50）の酸素センサ（51）を用いて測定する給気測定動作を行うための測定ユニット（80）が設けられている。測定ユニット（80）は、分岐管（測定用通路）（81）と測定用開閉弁（82）とを備え、供給通路（44）を流れる窒素濃縮空気の一部を分岐させて酸素センサ（51）に導くように構成されている。
【００８４】
具体的には、分岐管（81）は、一端が供給通路（44）に接続され、他端が酸素センサ（51）に連結されている。なお、本実施形態では、分岐管（81）は、ユニットケース（36）内において供給通路（44）から分岐し、ユニットケースの内外に亘るように設けられている。分岐管（81）の他端部（庫内部分）には、一端から他端へ向かう向きの空気の流通のみを許容し、空気の逆流を防止する逆止弁（64）が設けられている。
【００８５】
測定用開閉弁（82）は、分岐管（81）のユニットケースの内部に設けられている。測定用開閉弁（82）は、分岐管（81）における窒素濃縮空気の流通を許容する開状態と、分岐管（81）における窒素濃縮空気の流通を遮断する閉状態とに切り換わる電磁弁によって構成されている。測定用開閉弁（82）の開閉動作は、制御部（55）によって制御される。詳細については後述するが、測定用開閉弁（82）は、後述する給気測定動作が実行される際にのみ開状態となり、その他のモードでは閉状態となる。
【００８６】
（冷却器及び排水ユニット）
上述したように、庫内収納空間（S2）に設けられた加圧通路（42）の一部分に、冷却器（90）と排水ユニット（91）とが設けられている。
【００８７】
冷却器（90）は、本実施形態では、樹脂製のチューブからなる加圧通路（42）の一部分であって、庫内収納空間（S2）に設けられた部分に接続された銅管によって構成されている。このような構成により、第１ポンプ機構（31a）によって加圧されて加圧通路（42）を流れる加圧空気は、銅管によって構成された冷却器（90）を通過する際に、該冷却器（90）が設けられた庫内収納空間（S2）の外気よりも低温の庫内空気に放熱して冷却されることとなる。このとき、加圧空気中の水分が凝縮することがある。
【００８８】
排水ユニット（91）は、このような冷却器（90）において生じた加圧空気中の凝縮水を取り除くために設けられている。そのため、排水ユニット（91）は、加圧通路（42）の冷却器（90）の下流側に設けられている。また、排水ユニット（91）は、庫外収納空間（S1）に設けられ、気液分離器（92）と、排水通路（93）と、排水弁（開閉弁）（94）とを有している。
【００８９】
図７に示すように、気液分離器（92）は、タンク（92a）と、隔壁継手（92b）と、パッキン（92c）と、押さえ部材（92d）と、２つのねじ込み継手（92e,92f）とを有している。
【００９０】
タンク（92a）は、第１吸着筒（34）及び第２吸着筒（35）と同様の円筒部材によって構成されている。隔壁継手（92b）は、タンク（92a）の内外に貫通するように、該タンク（92a）の上端の蓋部材に形成された穴に挿通され、外端と内端とに、それぞれ、加圧通路（42）を構成する樹脂製のチューブが接続されている。パッキン（92c）は、タンク（92a）の蓋部材に形成された隔壁継手（92b）の挿通穴から加圧空気が外部へ漏れないように、タンク（92a）の蓋部材の内側に設けられている。押さえ部材（92d）は、例えば、タンク（92a）の蓋部材に固定されるナットによって構成され、パッキン（92c）をタンク（92a）の蓋部材に押さえ付けている。２つのねじ込み継手（92e,92f）のうち、一方のねじ込み継手（92e）は、タンク（92a）の蓋部材に形成された穴にねじ込まれ、加圧通路（42）を構成する樹脂製のチューブが接続されている。一方、他方のねじ込み継手（92f）は、タンク（92a）の底部材に形成された穴にねじ込まれ、排水通路（93）が接続されている。
【００９１】
このような構成により、気液分離器（92）では、加圧通路（42）を介して凝縮水を含む加圧空気がタンク（92a）内に押し込まれる。タンク（92a）内では、凝縮水が底部に溜まり、上層部には加圧空気のみとなる。上層部の加圧空気は、タンク（92a）の蓋部材に固定された加圧通路（42）を介してタンク（92a）から押し出される。このように、気液分離器（92）は、加圧空気中の凝縮水を捕捉し、加圧空気のみを下流側へ排出するように構成されている。
【００９２】
排水通路（93）は、樹脂製のチューブによって構成されている。排水通路（93）の一端は、上述したタンク（92a）の底部材に形成された穴にねじ込まれたねじ込み継手（92f）に接続され、他端は、ケーシング（12）の外部において開口している（図示省略）。このように、排水通路（93）は、気液分離器（92）において加圧空気から分離されてタンク（92a）の底部に溜まった凝縮水をケーシング（12）の外部へ導くように構成されている。
【００９３】
排水弁（94）は、排水通路（93）に設けられている。排水弁（94）は、排水通路（93）の中途部において、気液分離器（92）から排水通路（93）に流入した凝縮水の流通を許容する開状態と、凝縮水の流通を遮断する閉状態とに切り換わる電磁弁によって構成されている。排水弁（94）の開閉動作は、制御部（55）によって制御される。詳細については後述するが、制御部（55）は、エアポンプ（31）の運転停止時に、排水弁（94）を開いて気液分離器（92）に捕捉された凝縮水を、排水通路（93）を介してケーシング（12）の外部へ排出する排水動作を行う。
【００９４】
−ガス供給装置の運転動作−
（ガス生成動作）
ガス供給装置（30）では、第１吸着筒（34）が加圧されると同時に第２吸着筒（35）が減圧される第１動作（図４を参照）と、第１吸着筒（34）が減圧されると同時に第２吸着筒（35）が加圧される第２動作（図５を参照）とが、所定の時間（例えば、１４．５秒）ずつ交互に繰り返し行われることにより、窒素濃縮空気と酸素濃縮空気とが生成される。また、本実施形態では、第１動作と第２動作との各合間に、第１吸着筒（34）と第２吸着筒（35）のいずれもが加圧される均圧動作（図６を参照）が、所定の時間（例えば、１．５秒）行われる。各動作の切り換えは、制御部（55）が第１方向制御弁（32）及び第２方向制御弁（33）を操作することによって行われる。
【００９５】
《第１動作》
第１動作では、制御部（55）によって、第１方向制御弁（32）及び第２方向制御弁（33）が共に、図４に示す第１状態に切り換えられる。これにより、空気回路（3）は、第１吸着筒（34）が第１ポンプ機構（31a）の吐出口に連通して第２ポンプ機構（31b）の吸込口から遮断され、且つ第２吸着筒（35）が第２ポンプ機構（31b）の吸込口に連通して第１ポンプ機構（31a）の吐出口から遮断された第１接続状態となる。この第１接続状態では、第１ポンプ機構（31a）によって加圧された外気が第１吸着筒（34）に供給される一方、第２ポンプ機構（31b）が、第２吸着筒（35）から窒素濃度が外気よりも高く酸素濃度が外気よりも低い窒素濃縮空気を吸引する。
【００９６】
具体的には、第１ポンプ機構（31a）は、外気通路（41）を介して外気を吸い込んで加圧し、加圧した外気（加圧空気）を加圧通路（42）に吐出する。加圧通路（42）に吐出された加圧空気は、加圧通路（42）を流れ、ユニットケース（36）の外部であって庫内収納空間（S2）に設けられた冷却器（90）に流入する。加圧空気は、冷却器（90）を通過する際に、外気よりも低温の庫内空気と熱交換して冷却される。
【００９７】
ところで、冷却器（90）において加圧空気が庫内空気によって冷却されて、その温度が露点温度まで低下すると、該加圧空気が含む水分の一部が凝縮して凝縮水を生じる。このような凝縮水を含む加圧空気が吸着筒に供給されると、吸着剤に凝縮水が付着して吸着性能を著しく低下させるおそれがある。
【００９８】
しかしながら、本実施形態では、冷却器（90）の下流側に排水ユニット（91）が設けられている。そのため、冷却器（90）において発生した凝縮水は、気液分離器（92）のタンク（92a）に捕捉され、脱水された加圧空気のみが加圧通路（42）を介して第１吸着筒（34）へ供給される（図７参照）。
【００９９】
このようにして、第１吸着筒（34）には、冷却され且つ脱水された加圧空気が流入し、該加圧空気に含まれる窒素成分が吸着剤に吸着される。なお、吸着剤の吸着性能は、吸着材の温度が低くなる程向上する。そのため、上述のように、冷却器（90）において加圧空気を予め冷却しておくことにより、冷却しない場合に比べて吸着剤への吸着性能が向上する。このように、第１動作中、第１吸着筒（34）では、上記第１ポンプ機構（31a）から加圧された外気が供給されて該外気中の窒素成分が吸着剤に吸着されることにより、窒素濃度が外気よりも低く酸素濃度が外気よりも高い酸素濃縮空気が生成される。酸素濃縮空気は、第１吸着筒（34）から酸素排出通路（45）に流出する。
【０１００】
一方、第２ポンプ機構（31b）は、第２吸着筒（35）から空気を吸引する。その際、第２吸着筒（35）の吸着剤に吸着された窒素成分が、空気と共に第２ポンプ機構（31b）に吸引されて吸着剤から脱着する。このように、第１動作中、第２吸着筒（35）では、第２ポンプ機構（31b）によって内部の空気が吸引されて吸着剤に吸着された窒素成分が脱着することにより、吸着剤から脱着した窒素成分を含み、窒素濃度が外気よりも高く酸素濃度が外気よりも低い窒素濃縮空気が生成される。窒素濃縮空気は、第２ポンプ機構（31b）に吸い込まれ、加圧された後、供給通路（44）に吐出される。
【０１０１】
《第２動作》
第２動作では、制御部（55）によって、第１方向制御弁（32）及び第２方向制御弁（33）が共に、図５に示す第２状態に切り換えられる。これにより、空気回路（3）は、第１吸着筒（34）が第２ポンプ機構（31b）の吸込口に連通して第１ポンプ機構（31a）の吐出口から遮断され、且つ第２吸着筒（35）が第１ポンプ機構（31a）の吐出口に連通して第２ポンプ機構（31b）の吸込口から遮断された第２接続状態となる。この第２接続状態では、第１ポンプ機構（31a）によって加圧された外気が第２吸着筒（35）に供給される一方、第２ポンプ機構（31b）が、第１吸着筒（34）から窒素濃縮空気を吸引する。
【０１０２】
具体的には、第１ポンプ機構（31a）は、外気通路（41）を介して外気を吸い込んで加圧し、加圧した外気（加圧空気）を加圧通路（42）に吐出する。加圧通路（42）に吐出された加圧空気は、加圧通路（42）を流れ、ユニットケース（36）の外部であって庫内収納空間（S2）に設けられた冷却器（90）に流入する。加圧空気は、冷却器（90）を通過する際に、外気よりも低温の庫内空気と熱交換して冷却される。
【０１０３】
第２動作においても、第１動作と同様に、冷却器（90）において凝縮水が発生した場合、その凝縮水は、冷却器（90）の下流側に設けられた気液分離器（92）に捕捉され、脱水された加圧空気のみが加圧通路（42）を介して第２吸着筒（35）へ供給される。
【０１０４】
このようにして、第２吸着筒（35）には、冷却され且つ脱水された加圧空気が流入し、該加圧空気に含まれる窒素成分が吸着剤に吸着される。また、第２動作においても、冷却器（90）において加圧空気を予め冷却しておくことにより、冷却しない場合に比べて吸着剤への吸着性能が向上する。このように、第２動作中、第２吸着筒（35）では、上記第１ポンプ機構（31a）から加圧された外気が供給されて該外気中の窒素成分が吸着剤に吸着されることにより、窒素濃度が外気よりも低く酸素濃度が外気よりも高い酸素濃縮空気が生成される。酸素濃縮空気は、第２吸着筒（35）から酸素排出通路（45）に流出する。
【０１０５】
一方、第２ポンプ機構（31b）は、第１吸着筒（34）から空気を吸引する。その際、第１吸着筒（34）の吸着剤に吸着された窒素成分が、空気と共に第２ポンプ機構（31b）に吸引されて吸着剤から脱着する。このように、第２動作中、第１吸着筒（34）では、第２ポンプ機構（31b）によって内部の空気が吸引されて吸着剤に吸着された窒素成分が脱着することにより、吸着剤から脱着した窒素成分を含み、窒素濃度が外気よりも高く酸素濃度が外気よりも低い窒素濃縮空気が生成される。窒素濃縮空気は、第２ポンプ機構（31b）に吸い込まれ、加圧された後、供給通路（44）に吐出される。
【０１０６】
《均圧動作》
図６に示すように、均圧動作では、制御部（55）によって、第１方向制御弁（32）が第１状態に切り換える一方、第２方向制御弁（33）が第２状態に切り換えられる。これにより、空気回路（3）は、第１吸着筒（34）及び第２吸着筒（35）が、共に第１ポンプ機構（31a）の吐出口に連通して第２ポンプ機構（31b）の吸込口から遮断された第３接続状態となる。この第３接続状態では、第１ポンプ機構（31a）によって加圧された外気が第１吸着筒（34）及び第２吸着筒（35）の両方に供給される一方、第２ポンプ機構（31b）が減圧通路（43）に残存する窒素濃縮空気を吸引する。
【０１０７】
具体的には、第１ポンプ機構（31a）は、外気通路（41）を介して外気を吸い込んで加圧し、加圧した外気（加圧空気）を加圧通路（42）に吐出する。加圧通路（42）に吐出された加圧空気は、加圧通路（42）を流れ、ユニットケース（36）の外部であって庫内収納空間（S2）に設けられた冷却器（90）に流入する。加圧空気は、冷却器（90）を通過する際に、外気よりも低温の庫内空気と熱交換して冷却される。
【０１０８】
均圧動作においても、第１動作及び第２動作と同様に、冷却器（90）において凝縮水が発生した場合、その凝縮水は、冷却器（90）の下流側に設けられた気液分離器（92）に捕捉され、脱水された加圧空気のみが加圧通路（42）を介して第１吸着筒（34）及び第２吸着筒（35）の両方に供給される。
【０１０９】
第１吸着筒（34）及び第２吸着筒（35）では、流入した加圧空気に含まれる窒素成分が吸着剤に吸着され、酸素濃縮空気が生成される。酸素濃縮空気は、第１吸着筒（34）及び第２吸着筒（35）から酸素排出通路（45）に流出する。
【０１１０】
一方、第２ポンプ機構（31b）は、第１吸着筒（34）及び第２吸着筒（35）から遮断される。そのため、均圧動作中には、第１吸着筒（34）及び第２吸着筒（35）において新たに窒素濃縮空気が生成されることはなく、第２ポンプ機構（31b）は、減圧通路（43）に残存する窒素濃縮空気を吸引して加圧した後、供給通路（44）に吐出する。
【０１１１】
ところで、上述したように、第１動作中には、第１吸着筒（34）では第１ポンプ機構（31a）によって加圧されて吸着動作が行われ、第２吸着筒（35）では第２ポンプ機構（31b）によって減圧されて脱着動作が行われる。一方、第２動作中には、第２吸着筒（35）では第１ポンプ機構（31a）によって加圧されて吸着動作が行われ、第１吸着筒（34）では第２ポンプ機構（31b）によって減圧されて脱着動作が行われる。そのため、上述の均圧動作を挟むことなく、第１動作から第２動作へ切り換える又は第２動作から第１動作へ切り換えると、切り換え直後は、切り換え前に脱着動作を行っていた吸着筒内の圧力が著しく低いため、該吸着筒内の圧力が上昇するのに時間がかかり、すぐには吸着動作が行われない。
【０１１２】
そこで、本実施形態では、第１動作から第２動作へ切り換える際、及び第２動作から第１動作へ切り換える際に、空気回路（3）を第３接続状態に切り換え、第１吸着筒（34）と第２吸着筒（35）とを、第１方向制御弁（32）及び第２方向制御弁（33）を介して連通させることとしている。これにより、第１吸着筒（34）及び第２吸着筒（35）の互いの内部圧力が、速やかに等しくなる（互いの内部圧力の中間の圧力になる）。このような均圧動作により、切り換え前に第２ポンプ機構（31b）によって減圧されて脱着動作を行っていた吸着筒内の圧力が、速やかに上昇するため、第１ポンプ機構（31a）への接続後、速やかに吸着動作が行われる。
【０１１３】
このようにして、ガス供給装置（30）では、均圧動作を挟みながら第１動作と第２動作とを交互に繰り返すことによって空気回路（3）において窒素濃縮空気と酸素濃縮空気とが生成される。
【０１１４】
（ガス供給動作／ガス排出動作）
また、ガス供給装置（30）では、給排切換機構（70）によって、空気回路（3）において生成した窒素濃縮空気をコンテナ（11）の庫内に供給するガス供給動作と、脱着動作の開始時点から所定時間の間、生成した窒素濃縮空気をコンテナ（11）の庫内へ供給せずに排気するガス排出動作とが切り換えられる。
【０１１５】
《ガス供給動作》
図４〜図６に示すように、ガス供給動作では、制御部（55）によって、排気用開閉弁（72）が閉状態に制御され、供給側開閉弁（73）が開状態に制御される。これにより、第１吸着筒（34）及び第２吸着筒（35）において交互に生成された窒素濃縮空気が供給通路（44）を通ってコンテナ（11）の庫内へ供給され、酸素濃縮空気は酸素排出通路（45）を通って庫外へ排出される。
【０１１６】
《ガス排出動作》
図示を省略するが、ガス排出動作では、制御部（55）によって、排気用開閉弁（72）が開状態に制御され、供給側開閉弁（73）が閉状態に制御される。これにより、第１吸着筒（34）及び第２吸着筒（35）において交互に生成されて供給通路（44）に吐出された窒素濃縮空気は、供給通路（44）において供給側開閉弁（73）よりも庫内側への流通が阻止され、排気用接続通路（71）に流入する。排気用接続通路（71）に流入した窒素濃縮空気は、酸素排出通路（45）に流入し、酸素排出通路（45）を流れる酸素濃縮空気と共に庫外へ排出される。
【０１１７】
（排水動作）
ガス供給装置（30）では、制御部（55）により、ガス生成動作中に冷却器（90）において生じ、気液分離器（92）のタンク（92a）に捕捉された凝縮水を外部へ排出する排水動作が行われる。具体的には、制御部（55）は、ガス生成動作中には閉じていた排水弁（94）を開くことによって、気液分離器（92）のタンク（92a）に溜まった凝縮水を、排水通路（93）を介して外部へ排出する。
【０１１８】
ところで、気液分離器（92）のタンク（92a）は、エアポンプ（31）によって加圧された加圧空気が流れる加圧通路（42）に設けられている。そのため、エアポンプ（31）の運転中に排水通路（93）に設けられた排水弁（94）を開くと、気液分離器（92）のタンク（92a）の内部と外部とが連通し、気液分離器（92）のタンク（92a）内を通過する加圧空気が凝縮水と共に排水通路（93）を介して外部へ排出されるおそれがある。
【０１１９】
そこで、本実施形態では、制御部（55）は、気液分離器（92）のタンク（92a）に加圧空気が供給されないエアポンプ（31）の運転停止時に、排水弁（94）を開いて排水動作を行うこととしている。このように、気液分離器（92）のタンク（92a）の内部と外部の圧力がほぼ等しい状態で排水弁（94）を開くことにより、気液分離器（92）のタンク（92a）を通過する加圧空気が、吸着筒（34,35）に供給されずに排水通路（93）を介して凝縮水と共に排出されることがない。
【０１２０】
［排気部］
−排気部の構成−
図２に示すように、排気部（46）は、庫内収納空間（S2）と庫外空間とを繋ぐ排気通路（46a）と、排気通路（46a）に接続された排気弁（46b）と、排気通路（46a）の流入端部（庫内側端部）に設けられたメンブレンフィルタ（46c）とを有している。排気通路（46a）は、ケーシング（12）を内外に貫通するように設けられている。排気弁（46b）は、排気通路（46a）の庫内側に設けられ、排気通路（46a）における空気の流通を許容する開状態と、排気通路（46a）における空気の流通を遮断する閉状態とに切り換わる電磁弁によって構成されている。排気弁（46b）の開閉動作は、制御部（55）によって制御される。
【０１２１】
−排気部の運転動作−
庫内ファン（26）の回転の回転中に、制御部（55）によって排気弁（46b）を開くことによって、庫内に繋がる庫内収納空間（S2）の空気（庫内空気）が庫外へ排出される排気動作が行われる。
【０１２２】
具体的には、庫内ファン（26）が回転すると、吹出側の２次空間（S22）の圧力が、庫外空間の圧力（大気圧）よりも高くなる。これにより、排気弁（46b）が開状態であるときには、排気通路（46a）の両端部の間で生じる圧力差（庫外空間と２次空間（S22）との間の圧力差）により、庫内に繋がる庫内収納空間（S2）の空気（庫内空気）が排気通路（46a）を通って庫外空間へ排出される。
【０１２３】
［センサユニット］
図２に示すように、センサユニット（50）は、庫内収納空間（S2）における庫内ファン（26）の吹出側の２次空間（S22）に設けられている。センサユニット（50）は、酸素センサ（51）と、二酸化炭素センサ（52）と、メンブレンフィルタ（54）と、連絡管（56）と、排気管（57）とを有している。
【０１２４】
酸素センサ（51）は、ガルバニ電池式センサによって構成されている。一方、二酸化炭素センサ（52）は、非分散型赤外線方式（ＮＤＩＲ：non dispersive infrared）のセンサによって構成されている。酸素センサ（51）には、測定ユニット（80）の分岐管（81）が連結され、酸素センサ（51）と二酸化炭素センサ（52）とは、連絡管（56）によって連結されている。また、二酸化炭素センサ（52）には、排気管（57）の一端が連結され、排気管（57）の他端は、庫内ファン（26）の吸込口の近傍において開口している。なお、酸素センサ（51）は、周辺の空気を取り込むための吸込口を有し、該吸込口には、メンブレンフィルタ（54）が設けられている。
【０１２５】
このような構成により、庫内収納空間（S2）の２次空間（S22）と１次空間（S21）とは、メンブレンフィルタ（54）、酸素センサ（51）、連絡管（56）、二酸化炭素センサ（52）、及び排気管（57）によって形成される空気通路（58）を介して連通している。そのため、庫内ファン（26）の運転中には、１次空間（S21）の圧力が、２次空間（S22）の圧力よりも低くなるため、この圧力差により、酸素センサ（51）と二酸化炭素センサ（52）とが接続された空気通路（58）において２次空間（S22）側から１次空間（S21）側へ庫内空気が流れる。このようにして、庫内空気が酸素センサ（51）と二酸化炭素センサ（52）とを順に通過し、酸素センサ（51）において庫内空気の酸素濃度が測定され、二酸化炭素センサ（52）において庫内空気の二酸化炭素濃度が測定される。一方、庫内ファン（26）の運転停止中であって後述する給気測定動作中には、ガス供給装置（30）で生成された窒素濃縮空気が、分岐管（81）を介して酸素センサ（51）に導かれ、酸素センサ（51）において窒素濃縮空気の酸素濃度が測定される。
【０１２６】
［制御部］
制御部（55）は、コンテナ（11）の庫内空気の酸素濃度及び二酸化炭素濃度を所望の濃度にする濃度調節運転を実行するように構成されている。具体的には、制御部（55）は、酸素センサ（51）及び二酸化炭素センサ（52）の測定結果に基づいて、コンテナ（11）の庫内空気の組成（酸素濃度及び二酸化炭素濃度）が所望の組成（例えば、酸素濃度５％、二酸化炭素濃度５％）になるように、ガス供給装置（30）及び排気部（46）の動作を制御する。
【０１２７】
また、制御部（55）は、ユーザからの指令により又は定期的に、測定用開閉弁（82）の動作を制御して、ガス供給装置（30）において生成された窒素濃縮空気の酸素濃度を測定する給気測定動作を行うように構成されている。
【０１２８】
本実施形態では、制御部（55）は、ＣＡ装置（60）の各要素を本願で開示するように制御するマイクロコンピュータと、実施可能な制御プログラムが記憶されたメモリやハードディスク等とを含んでいる。なお、上記制御部（55）は、ＣＡ装置（60）の制御部の一例であり、制御部（55）の詳細な構造やアルゴリズムは、本発明に係る機能を実行するどのようなハードウェアとソフトウェアとの組み合わせであってもよい。
【０１２９】
−運転動作−
〈冷媒回路の運転動作〉
本実施形態では、図３に示すユニット制御部（100）によって、コンテナ（11）の庫内空気を冷却する冷却運転が実行される。
【０１３０】
冷却運転では、ユニット制御部（100）によって、圧縮機（21）、膨張弁（23）、庫外ファン（25）及び庫内ファン（26）の動作が、図示しない温度センサの測定結果に基づいて庫内空気の温度が所望の目標温度になるように制御される。このとき、冷媒回路（20）では、冷媒が循環して蒸気圧縮式の冷凍サイクルが行われる。そして、庫内ファン（26）によって庫内収納空間（S2）へ導かれたコンテナ（11）の庫内空気が、蒸発器（24）を通過する際に該蒸発器（24）の内部を流れる冷媒によって冷却される。蒸発器（24）において冷却された庫内空気は、床下流路（19a）を通って吹出口（18b）から再びコンテナ（11）の庫内へ吹き出される。これにより、コンテナ（11）の庫内空気が冷却される。
【０１３１】
〈濃度調節運転〉
また、本実施形態では、図４に示す制御部（55）によって、ＣＡ装置（60）が、コンテナ（11）の庫内空気の組成（酸素濃度及び二酸化炭素濃度）を所望の組成（例えば、酸素濃度５％、二酸化炭素濃度５％）に調節する濃度調節運転を行う。濃度調節運転では、制御部（55）によって、酸素センサ（51）及び二酸化炭素センサ（52）の測定結果に基づいて、コンテナ（11）の庫内空気の組成が所望の組成となるように、ガス供給装置（30）及び排気部（46）の動作が制御される。
【０１３２】
なお、濃度調節運転中は、制御部（55）は、測定用開閉弁（82）を閉状態に制御する。また、濃度調節運転中、制御部（55）は、ユニット制御部（100）と通信し、該ユニット制御部（100）によって庫内ファン（26）を回転させる。これにより、酸素センサ（51）及び二酸化炭素センサ（52）には、庫内ファン（26）によって庫内空気が供給され、庫内空気の酸素濃度と二酸化炭素濃度とが測定されることとなる。
【０１３３】
（酸素濃度の調節）
制御部（55）は、酸素センサ（51）で測定された庫内空気の酸素濃度が８％よりも高い場合、ガス生成動作によって窒素濃縮空気を生成し、該窒素濃縮空気をコンテナ（11）の庫内に供給するガス供給動作を実行する。
【０１３４】
具体的には、制御部（55）は、第１方向制御弁（32）及び第２方向制御弁（33）を切り換えて均圧動作（図６を参照）を挟みながら第１動作（図４を参照）と第２動作（図５を参照）とを交互に繰り返し行い、窒素濃度が外気よりも高く酸素濃度が外気よりも低い窒素濃縮空気を生成する（ガス生成動作）。本実施形態では、第１動作及び第２動作の動作時間が１４．５秒、均圧動作の動作時間が１．５秒に設定されている。また、制御部（55）は、排気用開閉弁（72）を閉状態、供給側開閉弁（73）を開状態に制御して、上記ガス生成動作によって生成された窒素濃縮空気をコンテナ（11）の庫内に供給するガス供給動作を実行する。本実施形態では、コンテナ（11）の庫内には、平均窒素濃度（第１動作及び第２動作の各動作において、庫内に供給される窒素濃縮空気の窒素濃度の平均値）が９２％、平均酸素濃度（第１動作及び第２動作の各動作において、庫内に供給される窒素濃縮空気の酸素濃度の平均値）が８％の窒素濃縮空気が供給される。
【０１３５】
また、制御部（55）は、排気部（46）の排気弁（46b）を開状態に制御して排気動作を行い、ガス供給動作によって窒素濃縮空気をコンテナ（11）の庫内に供給した分だけ庫内空気を庫外へ排出する。
【０１３６】
濃度調節運転では、上述のようなガス供給動作と排気動作とにより、庫内空気が窒素濃縮空気に置換され、庫内空気の酸素濃度が低下する。
【０１３７】
コンテナ（11）の庫内空気の酸素濃度が８％まで低下すると、制御部（55）は、ガス供給装置（30）の運転を停止してガス供給動作を停止すると共に、排気弁（46b）を閉じて排気動作を停止する。
【０１３８】
ガス供給動作と排気動作とが停止されると、コンテナ（11）の庫内では、空気が何ら入れ替わらない一方、植物（15）が呼吸を行うため、コンテナ（11）の庫内空気の酸素濃度が減少し、二酸化炭素濃度が上昇する。これにより、庫内空気の酸素濃度は、やがて目標酸素濃度の５％に至る。
【０１３９】
なお、呼吸によってコンテナ（11）の庫内空気の酸素濃度が５％よりも低下した場合には、ガス供給装置（30）の運転を再開し、平均酸素濃度が８％の窒素濃縮空気をコンテナ（11）の庫内に供給するガス供給動作と、排気部（46）の排気弁（46b）を開状態に制御してガス供給動作によって窒素濃縮空気をコンテナ（11）の庫内に供給した分だけ庫内空気を庫外へ排出する排気動作とを行う。このようなガス供給動作と排気動作とにより、庫内空気が該庫内空気よりも酸素濃度の高い窒素濃縮空気（例えば、平均酸素濃度８％）に置換されるため、コンテナ（11）の庫内空気の酸素濃度が上昇する。
【０１４０】
制御部（55）は、庫内空気の酸素濃度が、目標酸素濃度（５％）よりも所定濃度（例えば、０．５％）だけ高い値（５．５％）になると、ガス供給装置（30）の運転を停止してガス供給動作を停止すると共に、排気弁（46b）を閉じて排気動作を停止する。
【０１４１】
なお、庫内空気の酸素濃度の調節は、ガス供給動作の代わりに、バイパス開閉弁（48）を開いて、エアポンプ（31）に吸引した外気を、第１及び第２吸着筒（34,35）を通過させることなくバイパスさせて、そのままコンテナ（11）の庫内に供給する外気導入動作を行うこととしてもよい。外気導入動作と排気動作とによれば、庫内空気が酸素濃度２１％の外気に置換されるため、コンテナ（11）の庫内空気の酸素濃度が上昇する。
【０１４２】
なお、本実施形態では、コンテナ（11）の庫内空気の酸素濃度を８％から５％まで低下させるのに、ガス供給動作と排気動作とを停止し、植物（15）の呼吸を利用して低下させていた。しかしながら、コンテナ（11）の庫内空気の酸素濃度を８％から５％まで低下させる手法はこれに限られない。例えば、脱着動作の初期（第１動作及び第２動作の各動作の開始直後）には、生成された窒素濃縮空気を庫外へ排出するガス排出動作を行い、それ以外のタイミングでは生成された窒素濃縮空気を庫内へ供給するガス供給動作を行うこととしてもよい。脱着動作の初期には、吸着筒や配管等に外気が残存しているため、比較的酸素濃度の高い窒素濃縮空気が生成され、脱着動作の末期には、吸着筒内の圧力が初期よりも低下するために窒素成分が多く脱着され、比較的酸素濃度の低い窒素濃縮空気が生成される。そのため、このようなガス供給動作の前にガス排出動作を行うことにより、脱着動作の開始直後の比較的酸素濃度の高い窒素濃縮空気がコンテナ（11）の庫内に供給されなくなり、コンテナ（11）の庫内には、比較的酸素濃度の低い窒素濃縮空気（例えば、平均窒素濃度が９５％、平均酸素濃度が５％）のみが供給されることとなる。このようなガス排出動作とガス供給動作と排気動作とによって、コンテナ（11）の庫内空気の酸素濃度を８％から５％まで低下させてもよい。
【０１４３】
（二酸化炭素濃度の調節）
制御部（55）は、二酸化炭素センサ（52）で測定された庫内空気の二酸化炭素濃度が５％よりも高い場合、ガス供給装置（30）を運転してガス供給動作を行うと共に、排気弁（46b）を開いて排気動作を行う。このようなガス供給動作と排気動作とにより、庫内空気が二酸化炭素濃度０．０３％の窒素濃縮空気に置換されるため、コンテナ（11）の庫内空気の二酸化炭素濃度が低下する。
【０１４４】
制御部（55）は、庫内空気の二酸化炭素濃度が、目標二酸化炭素濃度（５％）よりも所定濃度（例えば、０．５％）だけ低い値（４．５％）になると、ガス供給装置（30）の運転を停止してガス供給動作を停止すると共に、排気弁（46b）を閉じて排気動作を停止する。
【０１４５】
なお、庫内空気の二酸化炭素濃度の調節は、ガス供給動作の代わりに、バイパス開閉弁（48）を開いて上記外気導入動作を行うこととしてもよい。このように外気導入動作と排気動作とによれば、庫内空気が二酸化炭素濃度０．０３％の外気に置換されるため、コンテナ（11）の庫内空気の二酸化炭素濃度が低下する。
【０１４６】
［給気測定動作］
また、制御部（55）は、ユーザからの指令により又は定期的（例えば、１０日毎）に、ガス供給装置（30）において生成された窒素濃縮空気の酸素濃度を測定する給気測定動作を行う。なお、給気測定動作は、上述の濃度調節運転や試運転等のガス供給動作中に庫内ファン（26）が停止した際に並行して行われる。
【０１４７】
制御部（55）は、ガス供給動作中に、測定用開閉弁（82）を開状態に制御すると共に供給側開閉弁（73）を閉状態に制御する。これにより、供給通路（44）を流れる窒素濃縮空気の全てが分岐管（81）に流入する。分岐管（81）に流入した窒素濃縮空気は、酸素センサ（51）内に流入し、酸素濃度が測定される。
【０１４８】
このように、ガス供給装置（30）において生成された窒素濃縮空気の酸素濃度を測定することにより、ガス供給装置（30）において生成された窒素濃縮空気の組成（酸素濃度、窒素濃度）が所望の状態であるかを確認することができる。
【０１４９】
−実施形態の効果−
以上のように、本実施形態によれば、第１ポンプ機構（31a）と第１及び第２吸着筒（34,35）とを繋ぐ加圧通路（42）に冷却器（90）を設け、加圧空気を外部の空気で冷却してから第１及び第２吸着筒（34,35）に供給することとした。そのため、冷却器（90）を設けない場合に比べて第１及び第２吸着筒（34,35）に供給される加圧空気の温度が低くなる。これにより、吸着動作において加圧空気中の所定の成分が吸着剤に吸着し易くなる。よって、エアポンプ（31）と第１及び第２吸着筒（34,35）とを備えたガス供給装置（30）において、吸着剤における吸着性能の向上を図ることができ、コンテナ（11）の庫内空気の組成の調節を効率よく行うことができる。
【０１５０】
また、本実施形態によれば、ユニットケース（36）の内部に収容されたエアポンプ（31）の加圧部（31a）と第１及び第２吸着筒（34,35）とを繋ぐ加圧通路（42）に設けられた冷却器（90）を、ユニットケース（36）の外部に配置することとした。そのため、第１及び第２吸着筒（34,35）とエアポンプ（31）とがユニットケース（36）の内部に収容され、エアポンプ（31）の稼働中に、ユニットケース（36）の内部の空気温度が著しく上昇するような環境下であっても、確実に冷却器（90）において加圧空気をユニットケース（36）の外部の空気で冷却することができる。
【０１５１】
また、本実施形態によれば、冷却器（90）を冷蔵収納庫としてのコンテナ（11）の庫内（庫内収納空間（S2））に配置し、冷却器（90）において加圧空気を外気よりも低温の庫内空気で冷却してから第１及び第２吸着筒（34,35）に供給することとした。そのため、冷却器（90）をコンテナ（11）の庫外に設ける場合に比べて第１及び第２吸着筒（34,35）に供給される加圧空気の温度が低くなる。これにより、吸着動作において加圧空気中の所定の成分が吸着剤により吸着し易くなる。よって、エアポンプ（31）と第１及び第２吸着筒（34,35）とを備えたガス供給装置（30）において、吸着剤における吸着性能のさらなる向上を図ることができる。
【０１５２】
また、本実施形態によれば、加圧通路（42）の冷却器（90）の下流側に気液分離器（92）を設け、冷却器（90）において加圧空気の一部が外気よりも低温の庫内空気に冷却されて凝縮した場合であっても、気液分離器（92）において加圧空気から凝縮水を分離して捕捉することで、加圧空気のみを第１及び第２吸着筒（34,35）に供給するようにした。そのため、凝縮水が吸着剤に付着して吸着剤の吸着性能が著しく低下することを防止する一方、露点温度まで冷却された加圧空気を第１及び第２吸着筒（34,35）に供給することで吸着剤の吸着性能の向上を最大限に図ることができる。
【０１５３】
ところで、気液分離器（92）は、エアポンプ（31）によって加圧された加圧空気が流れる加圧通路（42）に設けられている。そのため、エアポンプ（31）の運転中に排水通路（93）の排水弁（94）を開くと、気液分離器（92）の内部と外部とが連通し、気液分離器（92）内を通過する加圧空気が凝縮水と共に排水通路（93）を介して外部へ排出されるおそれがある。
【０１５４】
そこで、本実施形態では、気液分離器（92）に加圧空気が供給されないエアポンプ（31）の運転停止時に、排水弁（94）を開くこととしている。このように、気液分離器（92）の内部と外部の圧力がほぼ等しい状態で排水弁（94）を開くことにより、気液分離器（92）を通過する加圧空気が吸着筒に供給されずに排水通路（93）を介して凝縮水と共に排出されてしまうのを防止することができる。
【０１５５】
また、本実施形態によれば、冷却器（90）を銅管によって構成し、樹脂製のチューブによって構成された加圧通路（42）の中途部に接続することとした。そのため、樹脂製のチューブの中途部に銅管を接続するだけで容易に冷却器（90）を構成することができる。
【０１５６】
《その他の実施形態》
上記各実施形態については、以下のような構成としてもよい。
【０１５７】
上記実施形態では、冷却器（90）を冷蔵収納庫としてのコンテナ（11）の庫内（庫内収納空間（S2））に設けることとしていた。しかしながら、冷却器（90）は、内部を流れる加圧空気を冷却できる環境下であれば、いかなる場所に設けられていてもよい。例えば、冷却器（90）は、図８に示すように、樹脂製のチューブによって構成された加圧通路（42）の中途部に銅管を接続し、該銅管を単にユニットケース（36）の外部、即ち、庫外収納空間（S1）に配置したものであってもよい。この場合、冷却器（90）は、庫外収納空間（S1）において凝縮器（22）の下側の第１空間（S11）に設けられるのが好ましい。庫外収納空間（S1）では、凝縮器（22）の上側の第２空間（S12）に設けられた庫外ファン（25）の稼働中には、第１空間（S11）から第２空間（S12）に向かって庫外空気が流れる。そのため、冷却器（90）を第１空間（S11）に設けると、庫外収納空間（S1）において庫外ファン（25）によって形成される庫外空気の流れの凝縮器（22）よりも上流側に冷却器（90）が配置されることとなる。このような配置構成により、庫外ファン（25）の稼働中には、冷却器（90）に強制的に庫外空気が供給されるため、加圧空気を十分に冷却することができる。また、凝縮器（22）において冷媒回路（20）の冷媒によって加熱される前の比較的温度の低い庫外空気が冷却器（90）に供給されるため、このことによっても、冷却器（90）において加圧空気を十分に冷却することができる。
【０１５８】
また、このように冷却器（90）を庫外に配置する場合、上記実施形態において冷却器（90）において生じた加圧空気中の凝縮水を取り除くために設けられていた排水ユニット（91）は必須ではない。図９に示すように、冷却器（90）を庫外に設ける場合、排水ユニット（91）を設けなくてもよいし、排水ユニット（91）を冷却器（90）と同様に庫外収納空間（S1）に設けることとしてもよい。
【０１５９】
上記実施形態では、冷却器（90）は、銅管によって構成されていたが、冷却器（90）の構成はこれに限られない。冷却器（90）は、内部を流れる加圧空気を外部の空気と熱交換させて冷却できる構成であればいかなるものであってもよい。
【０１６０】
上記実施形態では、１つのエアポンプ（31）が第１ポンプ機構（31a）と第２ポンプ機構（31b）とを有する構成としていたが、第１ポンプ機構（31a）と第２ポンプ機構（31b）とは、２つの個別のエアポンプによって構成されていてもよい。
【０１６１】
また、上記各実施形態では、第１吸着部及び第２吸着部として、それぞれ１本の吸着筒を用いて窒素の吸着及び脱着を行うようにしていたが、各吸着部を構成する吸着筒の本数は１本に限定されない。例えば、各吸着部を３本の吸着筒で構成し、合計６本の吸着筒を用いることとしてもよい。
【０１６２】
また、上記各実施形態では、海上輸送用のコンテナ（11）に設けられるコンテナ用冷凍装置（10）に本発明に係るＣＡ装置（60）を適用した例について説明したが、本発明に係るＣＡ装置（60）の用途はこれに限られない。本発明に係るＣＡ装置（60）は、海上輸送用のコンテナの他、例えば、陸上輸送用のコンテナ、単なる冷凍冷蔵倉庫、常温の倉庫等の庫内空気の組成調節に用いることができる。
【産業上の利用可能性】
【０１６３】
以上説明したように、本発明は、コンテナの庫内に所定の組成の調整ガスを供給するガス供給装置及びそれを備えたコンテナ用冷凍装置について有用である。
【符号の説明】
【０１６４】
１０      コンテナ用冷凍装置
１１      コンテナ（収納庫）
２０      冷媒回路
２２      凝縮器
２５      庫外ファン
３０      ガス供給装置
３１      エアポンプ
３１ａ    第１ポンプ機構（加圧部）
３１ｂ    第２ポンプ機構（減圧部）
３４      第１吸着筒
３５      第２吸着筒
３６      ユニットケース
４２      加圧通路
９０      冷却器
９１      排水ユニット
９２      気液分離器
９３      排水通路
９４      排水弁（開閉弁）
【図１】
0006662053.tif 000002
【図２】
0006662053.tif 000003
【図３】
0006662053.tif 000004
【図４】
0006662053.tif 000005
【図５】
0006662053.tif 000006
【図６】
0006662053.tif 000007
【図７】
0006662053.tif 000008
【図８】
0006662053.tif 000009
【図９】
0006662053.tif 000010